(57)【要約】【課題】手回しによる配管仮保持作業における回転トルクを向上した食い込み式管接続構造を提供すること。また、このような食い込み式管接続構造を用いた弁、食い込み式管継手及び冷凍装置を提供すること。【解決手段】本発明の食い込み式管接続構造は、継手本体１０にフェルールの先端部が押し付けられるカム面が設けられている。また、フェルールをカム面に押し付けるように継手本体１０に締結される結合部材２０には、一般締結工具を把持可能とする把持部２４が形成されている。また、結合部材２０の締結によりフェルールのエッジ部を配管Ｐに食い込ませる前工程として、フェルールの先端部が配管Ｐを拘束する配管仮保持工程が設けられている。この工程において、作業者の指Ｆからの力を把持部２４に対し伝達し易くするための棒状部材４０が把持部２４に対し着脱自在に取り付けられている。【選択図】図３
2010169166.tif 000002
【特許請求の範囲】
【請求項１】
結合部材が螺合される螺合部と、接続すべき配管の先端を挿入する配管差込口と、配管差込口の入口部に形成されたカム面とを備えた継手本体と、この継手本体に対し、一般締結工具により把持部が把持されて締結される結合部材と、継手本体に対する結合部材の締結により前記カム面に押し付けられるフェルールとを備え、
前記フェルールは、前記結合部材を手回しで締め付けるときの締付力により、先端部が配管を拘束するように構成され、
前記結合部材は、手回しによる締め付けをする場合に作業者の指先の力を伝達するための棒状部材が把持部の外周側へ径方向に延びるとともに、把持部に対し着脱自在に取り付けられるように形成されている
ことを特徴とする食い込み式管接続構造。
【請求項２】
前記結合部材は、前記棒状部材を着脱自在に挿入するための１個以上の挿入穴を有し、
前記棒状部材は、１個以上であって、前記挿入穴に挿入されて着脱自在に取り付けられることを特徴とする請求項１記載の食い込み式管接続構造。
【請求項３】
前記棒状部材は、１個であることを特徴とする請求項２記載の食い込み式管接続構造。
【請求項４】
前記棒状部材は、作業者の指が押し当てられる押圧部が平面状の面に形成されていることを特徴とする請求項２又は３記載の食い込み式管接続構造。
【請求項５】
前記棒状部材は、前記把持部に取り付けられた状態において、把持部の外周側へ径方向に突出する長さが作業者の指をかけることができる程度に形成されていることを特徴とする請求項２〜４の何れか１項に記載の食い込み式管接続構造。
【請求項６】
前記棒状部材は、弾力性のある材料からなることを特徴とする請求項２〜５の何れか１項に記載の食い込み式管接続構造。
【請求項７】
前記棒状部材は、弾力性のある材料としてプラスチックが用いられていることを特徴とする請求項６記載の食い込み式管接続構造。
【請求項８】
前記挿入穴は、前記把持部の外周面に開口するように径方向に設けられていることを特徴とする請求項２〜７の何れか１項に記載の食い込み式管接続構造。
【請求項９】
前記挿入穴は、前記把持部の外周面に分散されて複数個形成されていることを特徴とする請求項８記載の食い込み式管接続構造。
【請求項１０】
前記把持部は外形が六角ナット状に形成され、前記挿入穴は把持部における六角ナット状を成す少なくとも３面に分散されて形成されていることを特徴とする請求項９記載の食い込み式管接続構造。
【請求項１１】
前記棒状部材は、断面が一定円形の直線状の部材であることを特徴とする請求項７〜１０の何れか１項に記載の食い込み式管接続構造。
【請求項１２】
前記棒状部材は、断面が一定円形の略Ｌ字状の部材であることを特徴とする請求項７〜１０の何れか１項に記載の食い込み式管接続構造。
【請求項１３】
前記棒状部材は、略Ｌ字状を形成する一方の辺の長さが他方の片に比し短いことを特徴とする請求項１２記載の食い込み式管接続構造。
【請求項１４】
前記挿入穴は、把持部における反継手本体側の側面に開口するように結合部材の中心線と平行に設けられるとともに、棒状部材は、挿入穴に挿入される挿入部と指が触れる押圧部とが交差するように形成されていることを特徴とする請求項２〜７の何れか１項に記載の食い込み式管接続構造。
【請求項１５】
前記挿入穴は、前記把持部における反継手本体側の側面に複数個形成されていることを特徴とする請求項１４記載の食い込み式管接続構造。
【請求項１６】
前記挿入穴は非円形に形成されていることを特徴とする請求項１４又は１５記載の食い込み式管接続構造。
【請求項１７】
前記棒状部材は、略Ｌ字状の部材であって、少なくとも前記挿入穴に挿入される挿入部の断面形状が前記挿入穴と略同一の非円形であることを特徴とする請求項１６記載の食い込み式管接続構造。
【請求項１８】
前記棒状部材は、略Ｌ字状を形成する短い方の片が前記挿入穴に挿入される挿入部に形成されていることを特徴とする請求項１７記載の食い込み式管接続構造。
【請求項１９】
前記挿入穴は、前記把持部における反継手本体側の側面に複数個形成されるとともに、断面円形に形成され、さらに、前記棒状部材は、前記挿入穴に挿入される結合部材の中心線と平行方向に延びる２個の挿入部と作業者の指が当接される押圧部とを有し、この押圧部は、結合部材の径方向外側に延びるように形成されるとともに前記挿入部と一体的に形成されていることを特徴とする請求項１５記載の食い込み式管接続構造。
【請求項２０】
前記継手本体は、螺合部が雌ねじ筒部に形成され、前記結合部材は、継手本体に締結された状態において、前記把持部以外の部分が継手本体の雌ねじ筒部内に収納されるとともに、前記把持部がこの継手本体の雌ねじ筒部内に収納された部分から分離されるように構成されていることを特徴とする請求項１〜１９の何れか１項に記載の食い込み式管接続構造。
【請求項２１】
前記結合部材は、継手本体に締結された状態において、継手本体の雌ねじ筒部内に収納された部分の側面に専用工具を係合することのできる係合部を備えていることを特徴とする請求項２０記載の食い込み式管接続構造。
【請求項２２】
請求項１〜２１の何れか１項に記載の管接続構造を管継手部に用いた弁。
【請求項２３】
請求項１〜２１の何れか１項に記載の管接続構造を管継手部に用いた食い込み式管継手。
【請求項２４】
請求項２２記載の弁を冷媒回路に用いたことを特徴とする冷凍装置。
【請求項２５】
請求項２３記載の食い込み式管継手を冷媒回路に用いたことを特徴とする冷凍装置。
【発明の詳細な説明】
【技術分野】
【０００１】
本発明は、食い込み式管接続構造に係り、詳しくは、配管接続開始時に接続すべき配管を仮保持するために結合部材を手回しで締め付けるものにおいて、手回しの際に発生する回転トルクを向上させるようにした食い込み式管接続構造に関する。また、本発明は、このような食い込み式管接続構造を用いた弁、食い込み式管継手及び冷凍装置に関する。
【背景技術】
【０００２】
冷凍装置の冷媒配管、温水装置の給湯配管や給水配管などの配管システムにおいて、近年管継手として食い込み式管継手が用いられるようになってきている。また、配管接続作業を簡略化するために、配管接続作業に先立って配管を仮保持する作業が行われるように構成されたものが提案されている。
【０００３】
図１１及び図１２に示す食い込み式管継手１００は、このような食い込み式管継手の一例であって、継手本体１０の基部１１１の一端側には、被接続装置側の配管１０１をろう付けするように形成されたソケット部１１２が形成されている。また、基部１１１の反対側には、結合部材１２０を螺合するための雌ねじ部１１３ａが内周面に形成された雌ねじ筒部１１３が形成されるとともに、その内部には基部１１１から突出する軸部１１４が形成されている。そして、軸部１１４から基部１１１にかけての中心部に配管差込口１１５が形成されるとともに、軸部１１４における配管差込口１１５の入口側にはフェルール１３０の先端部を押し付けるためのカム面１１６が形成されている。
【０００４】
また、結合部材１２０は、継手本体側に雄ねじ部１２１が外周に形成された管接続部１２２が形成されるとともに、この管接続部１２２の反継手本体側に一般の締結工具で把持可能とするように外周面が六角ナット状に形成された把持部１２３が形成されている。
【０００５】
また、この食い込み式管継手１００におけるフェルール１３０は、後部において径方向の薄肉部１３１により結合部材１２０と一体的に形成され、結合部材１２０の締結工程の途中において薄肉部１３１が切断されて独立する。そして、独立したフェルール１３０は、初めから独立の形態に形成されて組み付けられる通常の独立型のフェルールと同様に配管１０２に食い込み、配管１０２を気密に接続するように作用する。
【０００６】
また、フェルール１３０は、図１２に示すように、先端部に配管挿通孔１３２の内周面側から径方向外側に向かって切り込まれる切込部１３３が形成され、この切込部１３３の後面と配管挿通孔１３２とが交差する角部がフェルール１３０のエッジ部１３４となるように形成されている。また、切込部１３３の継手本体側の先端部１３５は、カム面１１６に接触する状態において結合部材１２０が手回しで締め付けられることにより（図１３参照）、配管差込口１１５と配管１０２との間に楔状に差し込まれるか、又は先端部が配管１０２に食い込むことにより配管を拘束し、これにより配管１０２を仮保持するものである。一方、フェルール１３０のエッジ部１３４を配管１０２に食い込ませるように結合部材１２０を締結する配管接続作業は、一般締結工具を使用して行われる。しかし、その前工程として上記のように配管１０２の仮保持作業が行われているため、その後の配管接続作業においては配管１０２を保持する必要がなく、これにより配管接続作業の簡略化が図られている。なお、このような食い込み式管継手１００は、例えば特許文献１により知られている。
【先行技術文献】
【特許文献】
【０００７】
【特許文献１】特開２００７−２３２２１０号公報、図１４〜図１７
【発明の概要】
【発明が解決しようとする課題】
【０００８】
しかしながら、従来の食い込み式管継手１００において、フェルール１３０の先端部を配管差込口１１５と配管１０２との間に食い込ませる配管仮保持工程は、図１３のように素手で結合部材１２０の把持部１２３を掴んで手回ししていた。このため、作業者によっては、配管１０２の仮保持に必要な回転トルクを発生させることが困難な場合があり、結合部材１２０を手回しにより締め付けるときの回転トルクを大きくした食い込み式管接続構造の開発が要望されていた。
【０００９】
本発明は、従来技術に存在するこのような問題点に着目してなされたものであって、手回しによる配管仮保持作業における回転トルクを向上した食い込み式管接続構造を提供することを目的とする。また、本発明は、このような食い込み式管接続構造を用いた弁、食い込み式管継手及び冷凍装置を提供することを目的とする。
【課題を解決するための手段】
【００１０】
本発明に係る食い込み式管接続構造は、上記課題を解決するものであって、結合部材が螺合される螺合部と、接続すべき配管の先端を挿入する配管差込口と、配管差込口の入口部に形成されたカム面とを備えた継手本体と、この継手本体に対し、一般締結工具により把持部が把持されて締結される結合部材と、継手本体に対する結合部材の締結により前記カム面に押し付けられるフェルールとを備え、前記フェルールは、前記結合部材を手回しで締め付けるときの締付力により、先端部が配管を拘束するように構成され、前記結合部材は、手回しによる締め付けをする場合に作業者の指先の力を伝達するための棒状部材が把持部の外周側へ径方向に延びるとともに、把持部に対し着脱自在に取り付けられるように形成されていることを特徴とする。
【００１１】
このような構成上の特徴を有する本発明に係る食い込み式管接続構造によれば、結合部材を手回しで回転させてフェルールの先端部により配管を拘束して配管を仮保持する場合に、把持部の外周側へ径方向に延びるように着脱自在に取り付けられた棒状部材に対し作業者が指先に力を加えることにより、結合部材の回転トルクを向上して伝達することができる。したがって、手回しで結合部材を締め付けるときの回転トルク不足を回避することができる。また、このように構成すれば、結合部材を手回しで締め付けるときのみ棒状部材を取り付ければよく、他の作業において棒状部材が邪魔になるようなことがない。
【００１２】
また、前記結合部材は、前記棒状部材を着脱自在に挿入するための１個以上の挿入穴を有し、前記棒状部材は、１個以上であって、前記挿入穴に挿入されて着脱自在に取り付けられることが好ましい。このように構成すれば、棒状部材を挿入穴に対し挿入することにより取り付けられ、挿入穴に挿入された棒状部材を引き抜くことにより取り外すことができる。なお、後述するように、１個の棒状部材を取り付けるために必要な挿入穴の個数は、１個でよい場合と２個以上必要とする場合がある。２個以上の挿入穴を必要とする場合は、把持部の反継手本体側の側面部に結合部材の中心線と平行方向に断面円形の挿入穴を設ける場合である。したがって、上記の１個以上の挿入穴は、１個の棒状部材についての取付位置を１箇所以上するために挿入穴を１個以上とする場合と、１個の棒状部材を取り付けるために挿入穴を１個以上必要とする場合と、棒状部材を１個以上とするために挿入穴を１個以上とする場合とを含む。
【００１３】
また、前記棒状部材は、１個としてもよい。１個の棒状部材に作業者の指先の力を加えても、手回しで結合部材を締め付けるときの回転トルク不足を回避することができる。また、配管径が小さいような場合には、棒状部材を１個とすることにより取扱いが容易になる場合もある。
【００１４】
また、前記棒状部材は、作業者の指が押し当てられる押圧部が平面状の面に形成されていることが好ましい。このようにすれば力を入れる指が滑りにくくなり、発生させる回転トルクを大きくすることができる。
【００１５】
また、前記棒状部材は、前記把持部に取り付けられた状態において、把持部の外周側へ径方向に突出する長さが作業者の指をかけることができる程度に形成されていることが好ましい。棒状部材は、把持部の外周側において、作業者の指をかけることができる長さを備えているため、結合部材を容易に手回しすることができる。
【００１６】
前記棒状部材は、弾力性のある材料からなるようにすることが好ましい。前記棒状部材に対し大きな力が加えられた場合に、棒状部材が剛性の大きい材料の場合には、継手本体と被接続側の配管との接合部や被接続側の配管などに過大な力が伝達される場合がある。ところが、この発明のように、棒状部材が弾力性のある材料で形成されていると、継手本体と被接続側の配管との接合部や被接続側の配管などに過大な力が伝達されることを抑制することができる。
【００１７】
前記棒状部材は、弾力性のある材料としてプラスチックが用いられていることが好ましい。このようにすれば棒状部材の形成が容易であり、手ざわりも柔らかくなり作業性がよい。
【００１８】
また、前記挿入穴は、前記把持部の外周面に開口するように径方向に設けられていることが好ましい。このように構成すれば、挿入穴に棒状部材を挿入し、この棒状部材における挿入穴から把持部の外側に延びる部分において、作業者の指先から結合部材を回転させる力を加えることができる。このため、結合部材を回転させる力が直接的に把持部に伝達されるので、棒状部材を介して把持部に伝達される力が回転トルクとして有効に伝達される。
【００１９】
また、前記挿入穴は、外周面に開口するように径方向に設けられている場合において、前記把持部の外周面に分散されて複数個形成されていることが好ましい。挿入穴が１個しか形成されていない場合には、１個の棒状部材しか取り付けることができないばかりでなく、把持部の回転角度位置によっては挿入穴から延びる部分、すなわち、作業者の指を当接する押圧部を適切な位置に調整することができない場合が生ずる。しかし、挿入穴が複数個設けられている場合には、複数個の挿入穴の内の適宜の複数の挿入穴に対し並列的に複数の棒状部材を取り付けることもできる。また、挿入穴が複数個設けられている場合には、１個の棒状部材を使用することにするとともにその挿入穴を選択することにより、１個の棒状部材の押圧部を適切な位置に調整することが可能になる。
【００２０】
また、前記把持部は外形が六角ナット状に形成され、前記挿入穴は把持部における六角ナット状を成す少なくとも３面に分散されて形成されていることが好ましい。把持部を六角ナット状に形成すると、スパナ、モンキーレンチなどの一般締結工具を使用して結合部材を締結することが容易になる。また、この六角ナット状を成す外面の内の少なくとも３面に締結孔が形成されていると、把持部の回転角度位置がどのような角度であっても、棒状部材を挿入する挿入穴を選択することにより押圧部の位置を適切な位置にすることが可能になる。
【００２１】
また、前述のように挿入穴が外周面に開口するように径方向に設けられている場合において、前記棒状部材は、断面が一定円形の直線状の部材であるようにしてもよい。このように構成されていると、棒状部材の軸心周りの向きがどうなっているか、及び挿入穴に挿入する端部か何れかをチェックすることなく、棒状部材を挿入穴に挿入することができるので、棒状部材の取付作業が簡単である。また、指の触れる感触も常に同一となる。また、棒状部材は単純な形状であるので製作が容易である。
【００２２】
また、挿入穴が外周面に開口するように径方向に設けられている場合において、前記棒状部材は、断面が一定円形の略Ｌ字状の部材であるようにしてもよい。このように構成すると、把持部の回転角度位置により棒状部材の軸心周りの取付角度を調節するとともに、略Ｌ字状を成す２辺の何れの辺に指を当てるかを選択することにより、作業性をより向上させることができる。特に、棒状部材を１個のみ使用する場合に効果がある。
【００２３】
また、前記棒状部材は、略Ｌ字状を形成する一方の辺の長さが他方の片に比し短いことが好ましい。挿入穴に挿入された辺に対し直角に形成されている他方の辺を押す場合において、挿入穴に挿入されている辺の長さが長いと他方の辺の位置が配管の中心から遠く離れすぎて作業が難しくなる場合がある。しかし、挿入穴に挿入されている辺の長さが他方の指の触れる方の辺の長さに比し短く形成されていると、このようなことが生じないようになる。
【００２４】
また、前記挿入穴は、把持部における反継手本体側の側面に開口するように結合部材の中心線と平行に設けられるとともに、棒状部材は、挿入穴に挿入される挿入部と指が触れる押圧部とが交差するように形成してもよい。このように構成しても、前述の場合と同様に作業者の指先の力を棒状部材における指が触れる押圧部に伝達して結合部材の回転トルクを向上させることができる。
【００２５】
この場合において、前記挿入穴は、前記把持部における反継手本体側の側面に複数形成されていることが好ましい。このように構成すると、前記挿入穴の把持部の回転角度位置に応じ棒状部材を挿入する挿入穴を選択することにより、指先の力を棒状部材に伝達する作業を行うことができる。
【００２６】
また、この場合において、前記挿入穴は、非円形に形成されていることが好ましい。挿入穴が円形の場合、１個の挿入穴に挿入される１個の棒状部材は、挿入穴内で回転するため、結合部材を回転させるための回転トルクを伝達することができない。しかし、挿入穴を非円形とすると、挿入穴内における棒状部材の回転を防止することができ、結合部材を回転させるための回転トルクを把持部に伝達することができる。
【００２７】
また、この場合には、前記棒状部材は、略Ｌ字状の部材であって、少なくとも前記挿入穴に挿入される挿入部の断面形状が前記挿入穴と略同一の非円形であるようにしてもよい。この場合には、挿入穴に挿入されている棒状部材の挿入部が挿入穴内で回転しないので、前記棒状部材を略Ｌ字状として簡略な構造とすることができる。
【００２８】
また、この場合において、前記棒状部材は、略Ｌ字状を形成する短い方の片が前記挿入穴に挿入される挿入部に形成されていることが好ましい。このように構成すると、指が触れる押圧部が把持部から離れる距離が短くなるので、作業性を高くすることができる。
【００２９】
また、前記挿入穴は、前記把持部における反継手本体側の側面に複数形成されるとともに、断面円形に形成され、さらに、前記棒状部材は、前記挿入穴に挿入される結合部材の中心線と平行方向に延びる２個の挿入部と作業者の指が押し当てられる押圧部とを有し、この押圧部は、結合部材の径方向外側に延びるように形成されるとともに前記挿入部と一体的に形成されているようにしてもよい。このように構成すると、挿入穴及び棒状部材の断面形状を円形としても、棒状部材を挿入穴内で回転しないようにすることができるので加工が容易になる。
【００３０】
また、前記継手本体は、螺合部が雌ねじ筒部に形成され、前記結合部材は、継手本体に締結された状態において、前記把持部以外の部分が継手本体の雌ねじ筒部内に収納されるとともに、前記把持部がこの継手本体の雌ねじ筒部内に収納された部分から分離されるように構成されているようにすることが好ましい。このようにすれば、配管接続完了後に誰もが簡単に配管接続部を緩めることができなくなる。また、把持部のみが継手本体に収納されない構造であるので、配管を仮保持するために手回しで結合部材を締め付ける、所謂手締め作業を行うことができるコンパクトな構造とすることができる。
【００３１】
また、前記結合部材は、継手本体に締結された状態において、継手本体の雌ねじ筒部内に収納された部分の側面に専用工具を係合することのできる係合部を備えていることが好ましい。このようにすれば、必要なときに配管接続部を緩めて配管を取り外すことができる。また、この係合部は前述の手締め作業における障害とはならない。
【００３２】
また、本発明に係る弁及び管継手は、上記何れかの食い込み式管接続構造を管継手部に用いたことを特徴とする。したがって、このような弁、管継手は、配管接続作業における当初段階において配管を仮保持できるので、その後の配管接続作業を容易化することができる。
【００３３】
また、本発明に係る冷凍装置は、これら弁或は管継手を冷媒回路に用いたことを特徴とする。したがって、本発明に係る冷凍装置は、配管接続作業における当初段階において配管を仮保持できるので、その後の配管接続作業を容易化することができる。
【発明の効果】
【００３４】
本発明に係る食い込み式管接続構造によれば、手回しで結合部材を締め付ける際に、把持部の外周側に延びるように着脱自在に取り付けられた棒状部材に対し作業者が指先に力を加えることにより、結合部材の回転トルクを向上して伝達することができる。したがって、手回しで結合部材を締め付けるときの回転トルク不足を回避することができる。また、このように構成すれば、結合部材を手回しで締め付けるときのみ棒状部材を取り付ければよく、他の作業において棒状部材が邪魔になるようなことがない。
【図面の簡単な説明】
【００３５】
【図１】本発明の実施の形態１に係る食い込み式管接続構造の部分断面図であって、配管仮保持工程開始の状態図である。
【図２】同食い込み式管接続構造における結合部材の説明であって、（ａ）は側面図であり、（ｂ）は断面図である。
【図３】同食い込み式管接続構造における配管仮保持工程の説明図である。
【図４】同食い込み式管接続構造に用いられる棒状部材の斜視図である。
【図５】同食い込み式管接続構造の部分断面図であって、配管接続完了状態図である。
【図６】同食い込み式管接続構造に用いられる専用工具の斜視図である。
【図７】本発明の実施の形態２に係る食い込み式管接続構造に用いられる棒状部材の説明図であって、（ａ）は斜視図であり、（ｂ）は側面図であり、（ｃ）は（ｂ）におけるＡ−Ａ断面図であり、（ｄ）は（ｂ）におけるＢ−Ｂ断面図である。
【図８】本発明の実施の形態３に係る食い込み式管接続構造に用いられる棒状部材の説明図であって、（ａ）は斜視図であり。（ｂ）は把持部への取付状態の一例を示す状態図であり、（ｃ）把持部への取付状態の他例を示す状態図である。
【図９】本発明の実施の形態４に係る食い込み式管接続構造に用いられる棒状部材の説明図であって、（ａ）は斜視図であり。（ｂ）は把持部への取付状態を示す説明図であり、（ｃ）は（ｂ）における把持部の側面図である。
【図１０】本発明の実施の形態５に係る食い込み式管接続構造に用いられる棒状部材の説明図であって、（ａ）は斜視図であり。（ｂ）は把持部への取付状態の一例を示す状態図であり、（ｃ）把持部への取付状態の他例を示す状態図である。
【図１１】従来の食い込み式管接続構造の部分断面図であって、配管仮保持工程開始の状態図である。
【図１２】同食い込み式管接続構造におけるフェルール周りの拡大図である。
【図１３】従来の食い込み式管接続構造における配管仮保持工程の説明図である。
【発明を実施するための形態】
【００３６】
以下、本発明の実施の形態に係る食い込み式管接続構造について、図面に基づき説明する。
本実施の形態に係る食い込み式管接続構造は、空気調和機などの冷凍装置の分野において、冷媒回路中の食い込み式管継手における管継手部に適用される他、分離型空気調和機の室外機における室内外連絡配管を接続する閉鎖弁の管継手部などに適用される。
【００３７】
本実施の形態に係る食い込み式管接続構造を用いた食い込み式管継手１は、基本的な構造は、図１に示すように、配管Ｐａを接続しようとする被接続側装置に取り付けられる継手本体１０と、継手本体１０に螺合されて組み付けされる結合部材２０と、継手本体１０と結合部材２０との間に挟着されるフェルール３０とを備えている。なお、本明細書の説明において前後の方向をいうときは、図１における継手本体側、すなわち、図１における左側を前側とし、結合部材側、すなわち、図１における右側を後側とする。
【００３８】
継手本体１０は、黄銅製であって、基部１１の前側にソケット部１２が形成されるとともに、基部１１の後側に雌ねじ筒部１３が形成され、さらに、基部１１の軸心部の後側に、雌ねじ筒部１３内の空間部に突出する軸部１４が形成されている。雌ねじ筒部１３の内面には、結合部材２０の螺合部としての雌ねじ部１３ａが形成されている。軸部１４の外周面には、配管接続時に軸部１４の強度を調節するための環状空間部１５が形成されている。また、この環状空間部１５の基端部には内部凍結防止用の通気孔１５ａが形成されている。
【００３９】
基部１１及び雌ねじ筒部１３の外形は、六角ナット状に一体的に形成されている。基部１１から軸部１４にかけての軸心部には配管Ｐの先端部を挿入する配管差込口１６が形成され、基部１１からソケット部１２にかけての軸心部には被接続側装置から導出される配管Ｐａの先端部を挿入する配管差込口１７が形成されている。また、配管差込口１６と配管差込口１７との間には、連通孔を形成するとともに配管Ｐ及び配管Ｐａの位置規制を行う段部１８が形成されている。段部１８は、配管差込口１６、１７に差し込まれた配管Ｐ，Ｐａの先端部を段部１８の端面に当接させることにより、配管Ｐ，Ｐａの先端位置を一定に保持する。なお、段部１８の前側の端面は、加工時の刃具の外形形状が残されてテーパ状に形成されている。
【００４０】
軸部１４の先端部、すなわち、配管差込口１６の入口部にはカム面１９が形成されている。カム面１９は、前側において配管差込口１６に連なり、後側（結合部材２０側）に向けて径が大きくなる円錐状の面に形成されている。
【００４１】
結合部材２０は、黄銅製であって、軸心に配管Ｐを貫通させる配管貫通孔２１が形成されるとともに、結合部材２０を二分するように径方向の切れ目を有する円盤状スリット２２が形成されている。そして、円盤状スリット２２の継手本体側に継手本体１０に螺合されるとともに配管接続機構を構成する管接続部２３が形成され、円盤状スリット２２の反継手本体側に一般の締結工具で把持可能とするように形成された把持部２４が形成されている。なお、円盤状スリット２２の軸方向の位置は、継手本体１０に対し結合部材２０が締結されて配管接続作業が完了した状態において、継手本体１０の結合部材側端面の位置と略一致するように配置されている（図５参照）。
【００４２】
管接続部２３の外周には、継手本体１０と螺合する螺合部としての雄ねじ部２３ａが形成されている。また、把持部２４の外形は、締結工具で把持可能とするように六角ナット状に形成されている。そして、円盤状スリット２２と配管貫通孔２１との間に、薄肉の管状部により管接続部２３と把持部２４とを連結する管状連結部２２ａが形成されている。管状連結部２２ａは、把持部２４を締め付ける回転トルクが配管接続完了時の値まで大きくなると切断される強度に設計されている。また、把持部２４における六角ナット状を成す３面には、結合部材２０を手回しで締め付けるときに使用される棒状部材４０（図２（ｂ）参照）を挿入するための挿入穴２５が設けられている。挿入穴２５は、図２（ａ）に示すように、把持部２４における六角ナット状を成す３面に開口するように径方向に設けられている。なお、この挿入穴２５は、個数が多いほど棒状部材の取り付け位置を選択する選択肢が多くなり作業がやり易くなるので、把持部２４における六角ナット状を成す各面に設けてもよい。しかし、作業性を考えると少なくとも３面に等間隔に３個設けられていることが好ましい。
【００４３】
管接続部２３の継手本体端部には、フェルール３０の後端部を仮止めするための仮止め機構の一部が形成されている。すなわち、管接続部２３の継手本体側端部には凹部が形成され、この凹部の奥端面がフェルール３０を押圧する押圧面２６として形成されている。押圧面２６は、軸心側が後方へ広がる傾斜面に形成されている。そして、この凹部の入口には径方向内向きの環状の突部２７が形成されている。この突部２７の端面は、前方に径が大きくなる傾斜面に形成されている。この傾斜面は、後述するフェルール３０の後端部に形成される環状の突部３２を圧入し易くするためのものである。また、この内向きの突部２７と押圧面２６との間に環状の拡径部２８が形成されている。
【００４４】
また、管接続部２３の反継手本体側の面には、配管接続後に管接続部２３の螺合を緩めるための専用工具を係合させる係合部として、断面が円形で所定の深さの４個の係合穴部２９が形成されている。また、把持部２４には、前記係合穴部２９を把持部２４の反継手本体側から加工可能とする加工用孔２９ａが形成されている。なお、この実施の形態においては、４個の加工用孔２９ａのうちの１個が、１個の挿入穴２５と交差する形状となっているがこれについてはなんら支障がない。
【００４５】
フェルール３０は、黄銅製であって、継手本体１０及び結合部材２０とは別体に形成された独立のフェルールである。そして、フェルール３０は、配管Ｐを挿通させる配管挿通孔３１が形成された環状物であって、軸方向に切断した断面で見て、前部の外周面が先細のテーパ面に形成され、さらに、後部の外周面が軸心に略平行な円筒状の平行面に形成されている。
【００４６】
また、フェルール３０の後端部には、フェルール３０の仮止め機構の一部として、径方向外向きの環状の突部３２が形成されている。この突部３２の外周端面は、突部３２を結合部材２０の拡径部２８に圧入し易くするために、後方に径が小さくなる傾斜面に形成されている（図１参照）。この突部３２の最大外径は、前述の結合部材２０の突部２７の最小内径より僅かに大きく形成されており、圧入変形により突部２７を介して拡径部２８に押し込められる。また、突部３２の軸方向寸法は、前述の拡径部２８の軸方向寸法より僅かに小さくなるように形成されている。これにより、フェルール３０の後端部が結合部材２０の継手本体側側面に形成された凹部に対し、着脱自在に、かつ、結合部材２０に仮止めされて一体化されたまま搬送可能に、かつ、継手本体１０に対し組み付け可能に構成されている。
【００４７】
フェルール３０の後端面における配管挿通孔３１との交差により形成される角部が後エッジ部を形成している。
また、フェルール３０には、配管挿通孔３１の内周面から外周方向に切り込まれた２つの切込部３３、３４が形成されている。軸方向の先端部に形成された切込部３３は、この切込部３３の前方にある先端部３５の変形を容易にするためのものである。切込部３３は、軸心方向に切断した断面形状が直角三角形であって、後方の切込面と配管挿通孔３１との交差により形成される角部が前エッジ部を形成している。また、軸方向の後方よりに形成された切込部３４は、外周側に短い辺を備えた略三角形状に形成されており、外周側に薄肉部３６を形成している。このため、フェルール３０は、薄肉部３６をヒンジのようにして前後部が軸心側に曲がり易くなっている。この結果、フェルール３０の前部の外周面を成すテーパ面がカム面１９に密着し易くなるとともに、フェルール３０の後端に形成される後エッジ部が配管Ｐに食い込み易くなっている。
【００４８】
以上のように形成されるフェルール３０は、部品としての搬送及び管理段階において、その後端部が結合部材２０に仮止めされて一体化される。この仮止めは、フェルール３０の中心軸と結合部材２０の中心軸とを芯合せした状態として、フェルール３０の後端部を結合部材２０の凹部に押し付けることにより、フェルール３０の突部３２が内向き突部２７と係合して拡径部２８内に圧入されることにより行われている。なお、この内向き突部２７と外向き突部３２の引っ掛かりは僅かであるため、取り外すことも可能である。
【００４９】
次に、以上のように構成された本結合部材による配管接続方法について説明する。
継手本体１０及び結合部材２０により配管Ｐを接続するに際しては、まず継手本体１０を所定の箇所に取り付ける、この継手本体１０が取り付けられる対象としては、配管、閉鎖弁等の各種機器の配管接続ポートである。一方、接続すべき配管Ｐを、フェルール３０が仮止めされた状態の結合部材２０の配管貫通孔２１及びフェルール３０の配管挿通孔３１に貫挿させて結合部材２０を配管Ｐに外装する。この外装作業は、フェルール３０が仮止めされた状態の結合部材２０を継手本体１０から分離した状態として配管Ｐに外装してもよいし、フェルール３０が仮止めされた状態の結合部材２０を継手本体１０に緩く螺合した状態としておいて、結合部材２０の後方から配管Ｐを挿入するようにしてもよい。そして、配管Ｐの先端部をフェルール３０の配管挿通孔３１を通して配管差込口１６に挿入し、その先端を段部１８の段差状の端面に当接させた状態として結合部材２０を継手本体１０に締結する。この螺合により図１に示すようにフェルール３０の後端部が押圧面２６に当接した状態となる。
【００５０】
この状態から引き続き結合部材２０が手回しで締め付けられ、フェルール３０における切込部３３の前方の先端部３５が配管Ｐと配管差込口１６との間に楔状に差し込まれるか、又は配管Ｐに食い込んで配管Ｐが拘束され、これにより、配管Ｐが仮保持される。この手回しにおいて、回転トルクの向上を図ったのが本発明であって、図３に記載のように行われる。
【００５１】
図３は、本実施の形態における配管仮保持工程の説明図であって、この図に示すように、図１の状態の食い込み式管継手１の把持部２４の挿入穴２５に１個の棒状部材４０が挿入されて着脱自在に取り付けられている。挿入穴２５は、前述のように、六角ナット形状を成す把持面のうちの３面に開口するように径方向に設けられているが、図３においては、上面に向けて開口する挿入穴２５（図２（ｂ）参照）が選択されている。このような棒状部材４０が挿入穴２５に挿入されることによりに、把持部２４の外周側へ径方向に突出する棒状部材４０の部分が食い込み式管継手１を把持する作業者の左手の親指などの指Ｆで押圧されている。これにより、結合部材２０が手回しで回転される。
【００５２】
把持部２４の挿入穴２５に挿入する棒状部材４０は、弾力性のある材料を使用することが好ましく、この実施の形態においてはプラスチック製とされている。このように棒状部材４０に弾力性のある材料を使用するのは、次の理由による。この実施の形態におけるように継手本体１０が被接続側の配管Ｐａに取り付けられている場合であって、棒状部材４０として剛性の大きい材料が使用されていると、誤って棒状部材４０に過剰な力が加えられた場合に継手本体１０と被接続側の配管Ｐａとの接合部や被接続側の配管Ｐａなどに過大な力が伝達される場合がある。しかしながら、棒状部材４０に弾力性のある材料が使用されていると、継手本体１０と被接続側の配管Ｐａとの接合部や被接続側の配管Ｐａなどに伝達される力を抑制することができる。
【００５３】
また、棒状部材４０は、図４の外観斜視図に示すように断面が一定の円形であり、さらに、把持部２４に取り付けられた状態において、把持部２４の外周側へ径方向に突出する長さが作業者の親指などの指Ｆをかけることができる程度の長さに形成されている。この実施の形態における棒状部材４０においては、挿入穴２５に挿入される挿入部と、作業者の指Ｆで押圧される押圧部との区別は必要でなく、何れの端部も挿入穴２５に挿入可能である。また、この棒状部材４０は断面が円形であるので、円周方向の向きは何れを向いていても構わない。
【００５４】
以上のようにして、配管仮保持工程が終了すると、今度は一般の締結工具を使用して結合部材２０をさらに締め付ける。これにより、フェルール３０の薄肉部３６を中心として前部の前エッジ部が配管Ｐに食い込むように傾斜するとともに、後部の後エッジ部が配管Ｐに食い込むように傾斜して、結合部材２０の締結工程が進行する。そして、フェルール３０における前エッジ部及び後エッジ部の食い込みが所定量に達すると、図５に示すように、継手本体１０の雌ねじ筒部１３の端部と円盤状スリット２２の継手本体側の面とが略一致する。また、このような状態まで結合部材２０が締め付けられると、回転トルクが所定値に到達し、管状連結部２２ａが切断されて継手本体１０の雌ねじ筒部１３から突出した状態にある把持部２４が切断される。これにより結合部材２０の配管接続作業が完了する。
【００５５】
なお、上記のような状態で締結された配管接続部は、把持部２４が切断されるため誰もが簡単に管接続部２３の螺合を緩めることができないが、前述の係合穴部２９を利用する専用工具６０を用いることにより、この管接続部２３を緩めることができる。
【００５６】
この専用工具６０は、図６に示すように、半円盤状の基体部６１に柄部６２が取り付けられている。基体部６１の半円状穴６３の内周半径は配管Ｐよりやや大径に形成されている。また、基体部６１の側面に、管接続部２３の４個の係合穴部２９の内の任意の隣り合う３個に係合可能な３個の円柱状の係合突部６４が形成されている。
【００５７】
配管接続部の解除は、専用工具６０の係合突部６４を管接続部２３の任意の隣り合う３個の係合穴部２９に係合させ、柄部６２に力を入れて基体部６１を回転させることにより、管接続部２３を回転させて継手本体１０との螺合を緩めることができ、配管Ｐを継手本体１０から取り外すことができる。この配管接続解除方法によれば、配管Ｐを切断することなく、配管Ｐを取り外すことができるので配管接続解除工事が簡単になる。また、継手本体１０を残した状態で配管Ｐを取り外すとともに、結合部材２０に仮止めされていたフェルール３０を引き抜くことにより、この継手本体１０に対し新たなフェルール３０を用いて配管Ｐを再度接続することができる。
【００５８】
次に以上のように構成された本実施の形態に係る食い込み式管接続構造によれば次のような効果を奏することができる。
（１）結合部材２０を手回しで回転させてフェルール３０の先端部３５により配管Ｐを拘束して配管Ｐを仮保持する場合に、把持部２４の外周側へ径方向に延びるように着脱自在に取り付けられた１個の棒状部材４０に対し作業者が指先に力を加えることにより、結合部材２０の回転トルクを向上して伝達することができる。したがって、手回しで結合部材２０を締め付けるときの回転トルク不足を回避することができる。また、結合部材２０を手回しで締め付けるときのみ棒状部材４０を取り付ければよく、他の作業においては棒状部材４０を取り外しておくことにより、棒状部材４０が邪魔になるようなことがない。
【００５９】
（２）また、棒状部材４０は、把持部２４に形成された挿入穴２５に挿入されて着脱自在に取り付けられているので、棒状部材４０の抜き差しにより棒状部材４０を容易に着脱することができる。
【００６０】
（３）また、棒状部材４０は、把持部２４に取り付けられた状態において、把持部２４の外周側へ径方向に突出する長さが作業者の指Ｆをかけることができる程度とされているので、結合部材２０を容易に手回しすることができる。
【００６１】
（４）棒状部材４０は弾力性のある材料から形成されているので、仮に、棒状部材４０に対し大きな力が作用したとしても、継手本体１０と被接続側の配管Ｐａとの接合部や被接続側の配管Ｐａなどに過大な力が伝達されることがない。
【００６２】
（５）また、棒状部材４０は、プラスチック製であるので、棒状部材の形成が容易であり、手ざわりも柔らかくなり作業性がよい。
（６）また、挿入穴２５は、把持部２４の外周面に開口するように径方向に設けられているので、挿入穴２５に棒状部材４０を挿入し、この棒状部材４０における挿入穴２５から把持部２４の外側に延びる部分において、作業者の指先から結合部材２０を回転させる力を加えることができる。このため、結合部材２０を回転させる力が直接的に把持部２４に伝達されるので、棒状部材４０を介して把持部２４に伝達される力が回転トルクとして有効に伝達される。
【００６３】
（７）また、この場合において、挿入穴２５は把持部２４の外周面に複数（この実施の形態では３個）形成されているので、１個の棒状部材４０の挿入する挿入穴２５をこの複数の挿入穴２５から選択し、略上方となるような位置の挿入穴２５とすることにより、押圧部（指Ｆを押し当てる部分）を適切な位置に調整することが可能になる。例えば、挿入穴２５が１個の場合には、挿入穴２５の位置が把持部２４の向こう側の面に開口していることもあり、このような場合には指Ｆで棒状部材４０を手前側から押すことができないので、スペースの都合により押圧することが困難な場合が生ずる。
【００６４】
（８）また、把持部２４は外形が六角ナット状に形成され、挿入穴２５は把持部２４における六角ナット状を成す３面に形成されているので、スパナ、モンキーレンチなどの一般締結工具を使用して結合部材２０を締結することが容易になる。また、把持部２４の回転角度位置がどのような角度であっても、１個の棒状部材４０を挿入する挿入穴２５を選択することにより押圧部の位置を適切な位置にすることが可能になる。
【００６５】
（９）また、棒状部材４０は、断面が一定円形の直線状の部材であるので、棒状部材４０の軸心周りの向きや、挿入穴２５に挿入する端部か何れかをチェックすることなく、棒状部材４０を挿入穴２５に挿入することができる。従って、棒状部材４０の取付作業が簡単である。また、指Ｆの触れる感触も常に同一となる。また、棒状部材４０は単純な形状であるので製作が容易である。
【００６６】
（１０）また、螺合部としての雌ねじ部１３ａが雌ねじ筒部１３の内周面に形成された継手本体１０に対し結合部材２０が締結された状態において、把持部２４のみが継手本体１０から突出するとともに、継手本体１０の雌ねじ筒部１３内に収納された部分から分離される。このような構成となっているため、配管接続完了後に誰もが簡単に接続部を緩めることができなくなるとともに、手回しで結合部材２０を締め付けることができるコンパクトな構成となっている。
【００６７】
（１１）また、結合部材２０が継手本体１０に締結された状態において、継手本体１０の雌ねじ筒部１３内に収納された部分、すなわち管接続部２３の側面に専用工具６０を係合することのできる係合部として係合穴部２９が形成されているので、必要なときに配管接続部を緩めて配管Ｐを取り外すことができる。また、この係合穴部２９は、配管Ｐを仮保持するために手回しで結合部材２０を締め付ける作業に対し障害とはならない。
【００６８】
（１２）本実施の形態に係る食い込み式管接続構造を用いた、弁、食い込み式管継手１は、配管接続作業において初期段階において配管Ｐを仮保持することができるので、配管接続作業を容易化することができる。
【００６９】
（１３）また、本実施の形態に係るこのような弁或は食い込み式管継手１を冷媒回路に用いた冷凍装置は、配管接続作業において初期段階において配管Ｐを仮保持することができるので、配管接続作業を容易化することができる。
【００７０】
（実施の形態２）
次に、実施の形態２について図７に基づき説明する。
実施の形態２は、実施の形態１において１個の棒状部材４０の形状を変更したものであって、他は実施の形態１と同一の構成である。なお、実施の形態１及び２と同一の構成要素には同一の符号を用いている。
【００７１】
この実施の形態における棒状部材４０は、直線状の棒状部材であるが、一端側を挿入穴に挿入される部分、すなわち挿入部４１とするとともに、他端側を作業者が指Ｆを押し当てて力を入れる部分、すなわち、押圧部４２としたものである。また、この棒状部材４０は、挿入部４１の断面は、図７（ｃ）に示すように円形であり、押圧部４２の断面は、部分円形であって、外表面の一部を平面４２ａにしたものである。また、作業者の指Ｆを平面４２ａに当接させることを意図している。
【００７２】
実施の形態２における棒状部材４０によれば、作業者の指Ｆが押し当てられる押圧部４２が平面状の面に形成されているので、力を入れる指Ｆが滑りにくくなり、発生させる回転トルクを大きくすることができる。
【００７３】
（実施の形態３）
次に、実施の形態３について図に基づき説明する。
実施の形態３は、実施の形態１において１個の棒状部材４０の形状を変更したものであって、他の構成は実施の形態１と同一の構成である。なお、実施の形態１と同一の構成要素には同一の符号を用いている。
【００７４】
この実施の形態における棒状部材４０は、図８（ａ）に示すようにＬ字状の棒状部材とし、Ｌ字状を成す一方の辺を短辺部４５とするとともに他方の辺を長辺部４６としている。また、断面形状は、短辺部４５及び長辺部４６の何れにおいても同一の円形としている。したがって、短辺部４５及び長辺部４６の何れもが挿入部或いは押圧部ともなり得る構成である。
【００７５】
この実施の形態によれば、棒状部材４０は、断面が一定円形の略Ｌ字状の部材に形成されているので、把持部２４の回転角度位置により棒状部材４０の軸心周りの取付角度を調節するとともに、略Ｌ字状を成す短辺部４５及び長辺部４６の何れを押圧部とするかを選択することにより、作業性を向上させることができる。例えば、図８（ｂ）に示すように、挿入穴２５が前方斜め上方を向くように把持部２４の回転角度位置がなっている場合には、長辺部４６の端部を挿入穴２５に挿入し、挿入穴２５から外部へ突出している部分に作業者が指Ｆを押し当てる。このようにすることにより、無理な姿勢をとることなく棒状部材４０を介して結合部材２０を回転することができる。また、図８（ｃ）に示すように、挿入穴２５が後方斜め上方を向くように把持部２４の回転角度位置がなっている場合には、短辺部４５の端部を挿入穴２５に挿入するとともに長辺部４６を前方に傾斜するようにし、長辺部４６に作業者が指Ｆを押し当てる。このようにすることにより、無理な姿勢をとることなく棒状部材４０を介して結合部材２０を回転することができる。また、この場合には短辺部４５を挿入しているので、指を押し当てる長辺部４６が配管Ｐの中心から遠く離れすぎて作業が難しくなるようなことがない。
【００７６】
（実施の形態４）
次に、実施の形態４について図９に基づき説明する。
実施の形態９は、実施の形態１において、把持部２４に設ける挿入穴２５の位置及び断面形状を変更するとともに、棒状部材４０の形状を変更したものであって、その他の構成は実施の形態１と同一の構成である。なお、実施の形態１〜３と同一の構成要素には同一の符号を用いている。
【００７７】
この実施の形態１における挿入穴２５は、図９（ｃ）に示すように、把持部２４における反継手本体側の側面に開口するように、かつ結合部材２０の中心と平行に４個設けられている。挿入穴２５の位置は、加工用孔２９ａの間に形成されている。また、挿入穴２５の断面形状は、正方形に形成されている。
【００７８】
一方、棒状部材４０は、図９（ａ）に示すように、Ｌ字状とし、Ｌ字状を成す一方の辺を短辺部４５とするとともに他方の辺を長辺部４６としている。また、この棒状部材４０の断面形状は、短辺部４５及び長辺部４６の何れにおいても同一の正方形であり、挿入穴２５に挿入できる大きさに形成されている。そして、図９（ｂ）に示すように、短辺部４５を挿入部４１とし、長辺部４６を押圧部４２として使用される。
【００７９】
以上のように構成された実施の形態４によれば、挿入穴２５の断面形状が非円形の正方形として構成されているので、作業者の指先の力を棒状部材４０における押圧部４２である長辺部４６に力を加えても、棒状部材４０が挿入穴２５内において回転することがない。したがって、棒状部材４０をＬ字状のような簡単な形状としても、短辺部４５が挿入穴２５に挿入された状態において、押圧部４２に力を加えることにより結合部材２０に対し回転トルクを付与することができる。また、挿入穴２５は、把持部２４における反継手本体側の側面に複数（この実施の形態では４個）形成されているので、把持部２４の回転角度位置に応じ棒状部材４０を挿入する挿入穴２５を選択することにより、無理な姿勢をとることなく棒状部材４０を介して結合部材２０を回転することができる。また、この場合には短辺部４５を挿入しているので、指を押し当てる長辺部４６（押圧部４２）が把持部２４から離れる距離が短くなるので、作業性を高くすることができる。
【００８０】
（実施の形態５）
次に、実施の形態５について図１０に基づき説明する。
実施の形態１０は、実施の形態１において、把持部２４に設ける挿入穴２５を変更するとともに、棒状部材４０の形状を変更したものであって、その他の構成は実施の形態１と同一の構成である。なお、実施の形態１〜４と同一の構成要素には同一の符号を用いている。
【００８１】
この実施の形態５においては、把持部２４には棒状部材４０を挿入するための専用の挿入穴２５は設けられていない。また、専用の挿入穴２５を設けることに代えて、加工用孔２９ａが棒状部材４０の挿入穴２５として兼用されている。なお、加工用孔２９ａは、断面形状が円形であるため、例えば、実施の形態２のような断面円形の単純なＬ字状の棒状部材を用いると、棒状部材４０が加工用孔２９ａ内で空回りする。そこで、この実施の形態においては、棒状部材４０を特殊な形状に形成している。
【００８２】
この実施の形態における棒状部材４０は、図１０に示すように、側方から見ると一方の片が長く他方の片が短いＬ字状を成しているが、短い片である短辺部４５は、結合部材２０の中心線と平行方向に延びるように２個形成されるとともに、挿入穴２５を兼用する２個の加工用孔２９ａに挿入される挿入部４１として使用される。また、長い片である長辺部４６は、作業者の指Ｆが押し当てられる押圧部４２として使用される。この棒状部材４０における挿入部４１及び押圧部４２の断面形状は共に円形である。また、押圧部４２は、結合部材２０の径方向外側に延びるように形成されるとともに前記２個の挿入部４１と一体的に形成されている。したがって、挿入部４１が加工用孔２９ａに挿入された状態において前方から棒状部材４０を見るとＬ字状に形成されている。
【００８３】
実施の形態５によれば、挿入穴を兼用する加工用孔２９ａは、断面形状が円形であるが、棒状部材４０の挿入部４１が２個形成されているので、棒状部材４０が加工用孔２９ａに挿入された状態で空回りすることがない。このように棒状部材４０の挿入穴２５として断面円形のものを利用することができるので、挿入穴２５としての加工を容易に行うことができる。
【００８４】
（変形例）
上記実施の形態において以下のように変更することもできる。
・実施の形態１〜５における挿入穴２５の個数は、それぞれ図示されたものに拘泥されずに他の個数に変更することができる。例えば、実施の形態１〜３において挿入穴２５は３個形成されているが、４個以上としてもよい。また、実施の形態４において、挿入穴２５が４個設けられているが、加工用孔２９ａの間において３個としてもよい。また、実施の形態５において、挿入穴２５を兼用する加工用孔２９ａが４個設けられているが、これを６個としてもよい。
【００８５】
・実施の形態１〜５においては、１個の棒状部材４０のみが複数の挿入穴２５に選択的に挿入されていたが、挿入穴２５に挿入される棒状部材４０は１個に限らず複数個を同時に複数の挿入穴２５に挿入するようにしてもよい。例えば、実施の形態１において、把持部２４の六角形を成す外周面に挿入穴２５が分散されて３個形成されているが、配管仮止め作業の当初から３個の挿入穴の内の任意の２個或いは全ての挿入穴２５に並列的に棒状部材４０を挿入するようにしてもよい。このようにした場合は、押圧しやすい棒状部材４０に対し指先から力を加えるようにしてもよいし、あるいは、２個又は３個の棒状部材４０に対し同時に指先から力を加えるようにしてもよい。また、挿入される棒状部材４０は同一の形状に拘泥されない。例えば、実施の形態２や実施の形態３の棒状部材４０を、実施の形態１の棒状部材４０に混ぜて挿入するようにしてもよい。なお、実施の形態５のような場合においても、２個の棒状部材を加工用孔２９ａ（挿入穴２５）に挿入するようにしてもよい。
【００８６】
・実施の形態１〜５における挿入穴２５の断面形状は、それぞれ図示されたものに拘泥されずに他の形状に変更することもできる。ただし、この場合は挿入穴２５に挿入される棒状部材４０の挿入部４１の形状をこれに合わせて変更する必要がある。例えば、実施の形態１〜３及び５において挿入穴２５の断面形状は円形であるが、これを楕円、正方形等の多角形などの他の形状としてもよい。また、実施の形態４において挿入穴２５の断面形状は正方形であるが、非円形の形状であればよく、楕円形、六角形などの他の多角形としてもよい。
【００８７】
・実施の形態３において、棒状部材４０は短辺部４５と長辺部４６とからなるＬ字状に形成されているが、Ｌ字状を構成する各辺を同一の長さとしてもよい。
・また、実施の形態３において、長辺部４６を押圧部４２として利用することを前提とし、この長辺部４６の一部に指Ｆを押し付けるための平面を構成してもよい。例えば、図８（ｂ）及び（ｃ）における指Ｆの当接部を平面としてもよい。
【００８８】
・実施の形態４は、短辺部４５を挿入部４１とし、長辺部４６を押圧部４２としているので、短辺部４５と長辺部４６とで形状を異なるようにすることもできる。例えば、短辺部４５は正方形、楕円形などの非円形として挿入穴２５内での空回りを防止し、長辺部４６を断面円形としてもよい。また、この長辺部４６を、指Ｆの当接する部分を平面とした部分円形の断面形状としてもよい。
【００８９】
・実施の形態４において、棒状部材４０はＬ字状に形成しているが、長辺部４６が押圧部４２として使用できる形状であればよいので、短辺部４５と長辺部４６とが直角に交差するものでなく、直角より角度の小さい角度で交差するようにしたものでもよい。
【００９０】
・実施の形態５において、棒状部材４０の挿入部４１は２個設けられているが、３個以上としてもよい。例えば、３個の加工用孔２９ａに挿入されるように３個の挿入部４１を設けたものとしてもよい。
【００９１】
・実施の形態５において加工用孔２９ａが挿入穴２５を兼用しているが、これに拘泥されることはない。例えば、加工用孔２９ａとは別に専用の挿入穴２５を設けるようにしてもよい。また、把持部２４に加工用孔２９ａが形成されていない場合には、専用の挿入穴２５を設けるようにしてもよい。
【００９２】
・各実施の形態において、フェルール３０は、継手本体１０及び結合部材２０とは別体に形成されるとともに、部品の段階で結合部材２０に仮止めされるように形成されているが、仮止めされない独立型としてもよい。また、フェルール３０は、結合部材２０と一体に形成され、配管接続開始時にフェルール３０が分離されてその後に独立のフェルールとして機能するものでもよい。
【００９３】
・各実施の形態において、フェルール３０を結合部材２０に仮止めする機構は、結合部材２０に対し回動可能及び所定範囲内で軸方向に移動可能に仮止めされるとともに、結合部材２０に仮止めされて一体化されたたまま搬送可能、かつ、継手本体１０に対し組み付け可能に構成される構造であれば他の構造に変更してもよい。
【００９４】
・各実施の形態において、継手本体１０は、ソケット部１２には被接続側装置の配管Ｐａがロー付けされる構造となっているが、ソケット部１２の外周に雄ねじを形成し、被接続装置内の閉鎖弁等の機器類に直接継手本体１０を取り付ける構造としてもよい。
【００９５】
・各実施の形態において、結合部材２０は、締結過程において管接続部２３と把持部２４とに分割しない構造としてもよい。
【産業上の利用可能性】
【００９６】
本発明は、冷凍装置、空気調和装置、給湯器等の温水装置、給水装置、一般の製造設備などにおける冷媒回路、水回路、ガス回路などに使用される食い込み式管接続構造に対し適用することができる。また、本発明を適用した食い込み式管接続構造は、配管同士の接続、閉鎖弁等の弁における管継手部、その他各種装置における管継手部に適用することができる。また、本発明を適用した食い込み式管接続構造が対象とする配管は、銅管、ステンレス管などの金属管を初め樹脂配管をも包含する。
【符号の説明】
【００９７】
Ｆ…指、Ｐ…配管、１…食い込み式管継手、１０…継手本体、１３…雌ねじ筒部、１３ａ…（螺合部としての）雌ねじ部、１６…配管差込口、１９…カム面、２０…結合部材、２４…把持部、２５…挿入穴、２９…（係合部としての）係合穴部、３０…フェルール、３５…先端部、４０…棒状部材、４１…挿入部、４２…押圧部、６０…専用工具。
【図１】
2010169166.tif 000003
【図２】
2010169166.tif 000004
【図３】
2010169166.tif 000005
【図４】
2010169166.tif 000006
【図５】
2010169166.tif 000007
【図６】
2010169166.tif 000008
【図７】
2010169166.tif 000009
【図８】
2010169166.tif 000010
【図９】
2010169166.tif 000011
【図１０】
2010169166.tif 000012
【図１１】
2010169166.tif 000013
【図１２】
2010169166.tif 000014
【図１３】
2010169166.tif 000015